(57)【要約】【課題】液注ぎ性を向上させるとともに、離型時にクチバシ部に僅かな変形が生じても、内容物の注出操作や取扱いに支障が無いようにする。【解決手段】容器１の口部に装着される中蓋５と、該中蓋の頂板に立設された注出筒１３と、該注出筒の先端部に設けられた、外方に突出するクチバシ部１５と、を備えた容器のキャップにおいて、前記クチバシ部の内面のうち上面部に近接する内面が、垂直状面に形成されている。【選択図】図７
2011006157.tif 000002
【特許請求の範囲】
【請求項１】
容器の口部に装着される中蓋と、該中蓋の頂板に立設された注出筒と、該注出筒に設けられた、外方に突出するクチバシ部と、を備えた容器のキャップにおいて、
前記クチバシ部の内面のうち上面部に近接する内面が、垂直状面に形成されていることを特徴とする容器のキャップ。
【請求項２】
前記クチバシ部の先端部の外面に、上面部に連続する変形収容部と、該変形収容部の下端に連続する弧状部とが形成されていることを特徴とする請求項１記載の容器のキャップ。
【請求項３】
前記変形収容部は、外方に突の曲面部であることを特徴とする請求項２記載の容器のキャップ。
【請求項４】
前記外方に突の曲面部の曲率半径は、前記弧状部の曲率半径よりも小さいことを特徴とする請求項３記載の容器のキャップ。
【請求項５】
前記垂直状面は、クチバシ部の内面のうち、上面部に近接する部分の全体に亘って形成されていることを特徴とする請求項１記載の容器のキャップ。
【発明の詳細な説明】
【技術分野】
【０００１】
本発明は、容器の口部に装着される容器のキャップに関するものであり、更に述べると、クチバシ部を有する注出筒を備えた容器のキャップに関するものである。
【背景技術】
【０００２】
醤油やドレッシングなどの各種液体調味料、或いは、薬品のような液状物を収容する容器には、注出筒を有するキャップが装着されている。前記注出筒の先端部は、容器内の内容物の注出量を調整できる様にするために、ラッパ状に湾曲させている。
【０００３】
この種の注出筒を有するキャップは広く利用されているが、ごく少量の内容物を注ぎ出すには適しておらず、さらなる改善が求められていた。
【０００４】
そこで、前記問題を解決するために、注出筒の先端部に平面視三角形状のクチバシ部を突設したものが使われている(例えば、特許文献１及び特許文献２、参照)。前記クチバシ部は、横断面Ｖ字状の流路である。
【０００５】
内容物の注出に際しては容器を回動させて所定角度傾けると、内容物は注出筒を通り、クチバシ部の流路に沿ってスムーズに流下して注出される。また該容器を正立状態に戻せば、注出は停止する。この注出筒は、従来のラッパ状の注出筒に比べて、注出部が先細り状に形成されているため、液量調整が容易であり、特にごく少量の内容物を注出する場合に好適である。
【先行技術文献】
【特許文献】
【０００６】
【特許文献１】実開昭６０−１２０９４６号公報
【特許文献２】実開昭６２−１４３６５４号公報
【発明の概要】
【発明が解決しようとする課題】
【０００７】
しかし、従来例には、未だ次の様な問題がある。
（１）所望量の内容物を注出した後、容器を正立状態に戻す過程において、即座に当該操作をおこなわないと、注出筒の外面へ内容物が付着しやすく、液切れ性が良くない。
【０００８】
（２）注出筒の先端部を注出筒よりも外方に大きく突出させたことにより、この突出部分（クチバシ部）がアンダーカットとなり、成形型から成形された注出筒を取出す際に、該突出部が内方に撓みきれずにその先端部において変形が生じる恐れがある。なお、ここで、アンダーカットとは、前記突出部に起因して、該成形型からキャップを取り出す際に所謂無理抜きを生成せしめる空間、換言すれば、該突出部の背後に存在する空間を意味する。このようにクチバシ部に変形が生じると、液注ぎ性が悪化する。また、上蓋開蓋時に手指等が触れた場合に指あたりが悪くなることがある。
【０００９】
本発明は、上記事情に鑑み、一連の注出操作を容易にし、液切れ性の向上を図ることを目的とする。他の目的は、成形型から成形されたキャップを取出す際に、注出筒に設けられたクチバシ部の先端部の変形を防止または最小限にし、それにより液切れ性、液注ぎ性に優れた注出筒を有する容器のキャップを提供することである。
【課題を解決するための手段】
【００１０】
この発明は、容器の口部に装着される中蓋と、該中蓋の頂板表面に立設された注出筒と、該注出筒に設けられた、外方に突出するクチバシ部と、を備えた容器のキャップにおいて、前記クチバシ部の内面のうち上面部に近接する内面が、垂直状面に形成されていることを特徴とする。
【００１１】
この発明の前記クチバシ部の先端部の外面に、上面部に連続する変形収容部と、該変形収容部の下端に連続する弧状部とが形成されていることを特徴とする。
【００１２】
この発明の前記変形収容部は、外方に突の曲面部であることを特徴とする。前記外方に突の曲面部の曲率半径は、前記弧状部の曲率半径よりも小さいことを特徴とする。前記垂直状面は、クチバシ部の内面のうち、上面部に近接する部分の全体に亘って形成されていることを特徴とする
【発明の効果】
【００１３】
本発明は、クチバシ部の内面のうち上面部に近接する内面が、垂直状面に形成されているので、注出時にクチバシ部を流下する内容物は、垂直状面により流れ方向を一旦斜め上向きに変えられた後、放出される。従って内容物の流速制御を容易におこなうことができる。さらに、注出停止の際に容器の傾きが一定の角度にまで戻されると、垂直状面を流下中の内容物は、流速を急激に減じられるとともに、容器内へ流れ方向を変えられるため、従来例に比べ、内容物の外部注出分と容器内部戻り分とが速やかに分断されるので、液切れが良好なものとなり、注出筒外面への内容物の付着を効果的に防止することができる。
【００１４】
本発明は、前記クチバシ部の先端部の外面に、上面部と連続する変形収容部と該変形収容部の下端に連続する弧状部とが形成されているので、型部材離型時の抵抗を抑えることができ、クチバシ部の先端部への応力集中を回避することができるとともに、離型時に変形が僅かに生じたとしても、該変形部分は変形収容部に収容されるために、上端面から突出することがない。そのため、一連の内容物の注出操作を円滑に行うことができる。また上蓋開蓋時に手指等がクチバシ部に接触しても、引っ掛かり等を生じることもない。
【図面の簡単な説明】
【００１５】
【図１】本発明の第１の実施の形態を示す平面図である。
【図２】図１のII−II線拡大断面図である。
【図３】射出成形型のクチバシ部の拡大縦断面図である。
【図４】射出成形型の離型工程の一部を示す概略図である。
【図５】クチバシ部の先端部拡大平面図である。
【図６】クチバシ部の拡大側面図である。
【図７】クチバシ部の先端部の拡大断面図である。
【図８】注出時のクチバシ部の状態を示す拡大断面図である。
【図９】注出停止時のクチバシ部の状態を示す拡大断面図である。
【発明を実施するための形態】
【００１６】
本発明の第１実施の形態を図１〜図７により説明する。容器１に取り付けられた容器のキャップ３は、中蓋（中栓）５と、該中蓋５にヒンジ６結合された上蓋７と、を備えている。前記中蓋５は、外筒９と、該外筒９の頂板９ａの内面に同心状に形成された内筒１１と、前記頂板９ａに立設され、前記内筒１に連続する注出筒１３と、を備えている。
【００１７】
前記注出筒１３には、外方に突出するクチバシ部１５が設けられている。このクチバシ部１５は、図５に示すように横断面Ｖ字状の流路１６であり、クチバシ部１５の基端部１５ｍから先端部１５ｂに向かって次第に細くなっている。図６に示すようにクチバシ部１５の下端部１５ｎから上端面１５ａに向かって拡開している
【００１８】
図７に示すように、クチバシ部１５の上端面１５ａに近接する流路１６の内面１５ｃは、垂直状面１７であり、注出筒１３の中心軸１３ａに対し並行をなすように伸びている。この垂直状面１７の高さＨは、０．２乃至３ｍｍ、特に０．３乃至２ｍｍの範囲にあることが特に望ましい。Ｈが上記範囲を下回ると、内容物注ぎ出し時の液注ぎ性が上記範囲内にある場合に比して、低下するようになり、液切れ性も悪くなる傾向がある。また、Ｈが上記範囲を上回ると、クチバシ部先端部１５ｂが、薄肉となり変形が生じやすい。
【００１９】
この垂直状面１７は、クチバシ部１５の内面のうち、上端面に近接する部分の全体に亘って設けているが、必ずしも全体に設ける必要はなく、例えば、内容物と接触する部分だけでも良い。又、この垂直状面１７は、必ずしも垂直面である必要はなく、例えば、注出筒の中心軸１３aに対し垂直状面の上方が外側に多少傾斜していても良い。
【００２０】
クチバシ部１５の先端部１５ｂの外面１５ｄには、上端面１５ａに連続する変形収容部１８が設けられ、又、この変形収容部１８の下端には弧状部２０が連続して設けられている。前記変形収容部１８と弧状部２０とは、外方に突出する曲面部であるが、両者１８，２０は、垂直状面１７の下端の延長線Ｌを境にして仕切られている。前記変形収容部１８の曲率半径Ｒ１は、前記弧状部２０の曲率半径Ｒ２より小さく、例えば、Ｒ１／Ｒ２＝０．１６に形成されている。
【００２１】
本発明のキャップ３は、上型及び下型からなる成形型を用いて射出成形されるが、前記上型は、図３に示すように、クチバシ部成形部材２２，２４を含むものである。この成形部材２２は、変形収容部の成形部２２ａと弧状部の成形部２２ｂとを有し、主にクチバシ部５の外面および注出筒の外面を形成し、前記成形部材２４は、垂直状面の成形部２４ａを有し、主にクチバシ部１５の内面１５ｃおよび注出筒の内面を形成する。
【００２２】
図示しない射出成形機から、金型に形成したゲート（図示しない）を介して、溶融樹脂（一例としてポリエチレン）が金型内の成形空間に射出される。そして冷却工程を得て成形されたキャップ３は、その後、成形型より取り出される。図４に離型工程の一部を示す。まず成形部材２４がキャップに対し相対的に離間する方向であるＤ１方向（図４において上方）に移動し、次に成形部材２２がキャップに対し相対的に離間する方向であるＤ２方向（図４において上方）に移動する。この時、成形部材２２はクチバシ部１５を含む注出筒を内方に変位させながら移動するが、クチバシ部１５の先端部１５ｂの外面１５ｄには、弧状部２０が設けられているので、型部材離脱時の抵抗を抑えることが出来、クチバシ部１５の先端部１５ｂへの応力集中を回避することができる。また、先端部１５ｂに僅かな変形が生じたとしても先端部１５ｂには、上端面１５aの下方に連続する変形収容部１８が設けられているので、その変形部分が、前記上端面１５aから上方に突出することはない。
【００２３】
次に、クチバシ部１５の作用について説明する。
注出開始時：
容器に収容されている内容物ｗ、例えば、醤油、酢、薬品などの液体、を注出する場合には、中蓋５から上蓋７を外し、容器１を傾けてクチバシ部１５を下方に傾斜させる（図８を参照）。
【００２４】
そうすると、注出筒１３内を流下する内容物ｗは、クチバシ部１５の流路１６内を流下し、垂直状面１７により流れ方向を斜め上向きに変えられた後、放出される。このため、流出過程における流速の制御が可能となり、流量調整を容易におこなうことができる。
【００２５】
注出停止時：
前記内容物ｗを所望量注出させた後、容器の傾きが一定の角度にまで戻されると、垂直状面を流下中の内容物ｗは、流速を急激に減じられるとともに、容器内へ流れ方向を変えられるため、従来例に比べ、内容物の外部への注出分と容器内部への戻り分とが速やかに分断されるので、液切れが良好なものとなり、注出筒外面への内容物の付着を効果的に防止することができる。（図９を参照）。
【００２６】
この発明の実施の形態は、上記に限定されるものではなく、例えば、次の様にしても良い。
（１）前記変形収容部は、クチバシ部１５の先端部１５ｂの変形した部分を収容できれば良いので、上記する以外の形状を取ることもできる。
（２）前記キャップに用いる樹脂としては、ポリエチレン、ポリプロピレンの他、ポリ乳酸、ポリブチレンサクシネートなどの脂肪族ポリエステル樹脂等が挙げられる。
（３）上蓋を中蓋にヒンジ連結した１ピース構造となっているが、上蓋が螺子係合により中蓋に装着される２ピース構造を採用しても良い。  
【符号の説明】
【００２７】
１      容器
３      キャップ
５      中蓋
９ａ    頂板
１３    注出筒
１５    クチバシ部
１５ａ  上面部
１５ｂ  先端部
１５ｃ  内面
１５ｄ  外面
１７    垂直状面
１８    変形収容部
２０    弧状部
【図１】
2011006157.tif 000003
【図２】
2011006157.tif 000004
【図３】
2011006157.tif 000005
【図４】
2011006157.tif 000006
【図５】
2011006157.tif 000007
【図６】
2011006157.tif 000008
【図７】
2011006157.tif 000009
【図８】
2011006157.tif 000010
【図９】
2011006157.tif 000011